Podtech/llm-jp-corpus-v4-ja_patent huggingface dataset:
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
対象における網膜症の治療法において用いるための医薬組成物であって、当該医薬組成物が、有効量のチロシンヒドロキシラーゼ阻害剤を含み、当該治療法が、それを必要とする対象に当該組成物を投与することを含み、前記チロシンヒドロキシラーゼ阻害剤は、メ
チル  （２Ｒ）−２−アミノ−３−（２−クロロ−４−ヒドロキシフェニル）プロパノエ
ート、Ｄ−チロシンエチルエステル  ヒドロクロリド、メチル  （２Ｒ）−２−アミノ−
３−（２，６−ジクロロ−３，４−ジメトキシフェニル）プロパノエート、Ｈ−Ｄ−チロ
シン（ｔＢｕ）−アリルエステル  ヒドロクロリド、メチル  （２Ｒ）−２−アミノ−３
−（３−クロロ−４，５−ジメトキシフェニル）プロパノエート、メチル  （２Ｒ）−２
−アミノ−３−（２−クロロ−３−ヒドロキシ−４−メトキシフェニル）プロパノエート
、メチル  （２Ｒ）−２−アミノ−３−（４−［（２−クロロ−６−フルオロフェニル）
メトキシ］フェニル）プロパノエート、メチル  （２Ｒ）−２−アミノ−３−（２−クロ
ロ−３，４−ジメトキシフェニル）プロパノエート、メチル  （２Ｒ）−２−アミノ−３
−（３−クロロ−５−フルオロ−４−ヒドロキシフェニル）プロパノエート、ジエチル  
２−（アセチルアミノ）−２−（４−［（２−クロロ−６−フルオロベンジル）オキシ］
ベンジルマロネート、メチル  （２Ｒ）−２−アミノ−３−（３−クロロ−４−メトキシ
フェニル）プロパノエート、メチル  （２Ｒ）−２−アミノ−３−（３−クロロ−４−ヒ
ドロキシ−５−メトキシフェニル）プロパノエート、メチル  （２Ｒ）−２−アミノ−３
−（２，６−ジクロロ−３−ヒドロキシ−４−メトキシフェニル）プロパノエート、メチ
ル  （２Ｒ）−２−アミノ−３−（３−クロロ−４−ヒドロキシフェニル）プロパノエー
ト、Ｈ−ＤＬ−チロシンメチルエステル  ヒドロクロリド、Ｈ−３，５−ジヨード−チロ
シンメチルエステル  ヒドロクロリド、Ｈ−Ｄ−３，５−ジヨード−チロシンメチルエス
テル  ヒドロクロリド、Ｈ−Ｄ−チロシンメチルエステル  ヒドロクロリド、Ｄ−チロシ
ンメチルエステル  ヒドロクロリド、Ｄ−チロシン−メチルエステル  ヒドロクロリド、
メチル  Ｄ−チロシネート  ヒドロクロリド、Ｈ−Ｄ−チロシンメチルエステル・ヒドロ
クロリド、Ｄ−チロシンメチルエステル  ヒドロクロリド、Ｈ−Ｄ−チロシンメチルエス
テル  ヒドロクロリド、（２Ｒ）−２−アミノ−３−（４−ヒドロキシフェニル）プロピ
オン酸、（２Ｒ）−２−アミノ−３−（４−ヒドロキシフェニル）メチルエステル  ヒド
ロクロリド、メチル  （２Ｒ）−２−アミノ−３−（４−ヒドロキシフェニル）プロパノ
エート  ヒドロクロリド、メチル  （２Ｒ）−２−アザニル−３−（４−ヒドロキシフェ
ニル）プロパノエート  ヒドロクロリド、３−クロロ−Ｌ−チロシン、３−ニトロ−Ｌ−
チロシン、３−ニトロ−Ｌ−チロシンエチルエステル  ヒドロクロリド、ＤＬ−ｍ−チロ
シン、ＤＬ−ｏ−チロシン、Ｂｏｃ−チロシン（３，５−Ｉ２）−ＯＳｕ、Ｆｍｏｃ−チ
ロシン（３−ＮＯ２）−ＯＨ、α−メチル−Ｌ−チロシン、α−メチル−Ｄ−チロシン、
及びα−メチル−ＤＬ−チロシンの内の少なくとも一つである、前記組成物。
【請求項２】
前記治療法において、前記チロシンヒドロキシラーゼ阻害剤が、経口、皮下、静脈内、経皮、経膣、直腸又はそれらの任意の組合せで投与される、請求項１に記載の組成物。
【請求項３】
経皮投与が、オレイン酸、１−メチル−２−ピロリドン、又はドデシルノナオキシエチ
レングリコールモノエーテルと組み合わせて実施される、請求項２に記載の組成物。
【請求項４】
前記治療法が、前記対象にｐ４５０  ３Ａ４プロモーターを投与することをさらに含む、請求項１に記載の組成物。
【請求項５】
ｐ４５０  ３Ａ４プロモーターが５，５−ジフェニルヒダントインである、請求項４に
記載の組成物。
【請求項６】
ｐ４５０  ３Ａ４プロモーターがバルプロ酸又はカルバマゼピンである、請求項４に記
載の組成物。
【請求項７】
前記治療法において、前記チロシンヒドロキシラーゼ阻害剤とｐ４５０  ３Ａ４プロモーターが同時に投与される、請求項４に記載の組成物。
【請求項８】
前記治療法において、前記チロシンヒドロキシラーゼ阻害剤とｐ４５０  ３Ａ４プロモーターが、経口、皮下、静脈内、経皮、経膣、直腸又はそれらの任意の組合せで投与される、請求項４に記載の組成物。
【請求項９】
経皮投与が、オレイン酸、１−メチル−２−ピロリドン、又はドデシルノナオキシエチ
レングリコールモノエーテルと組み合わせて実施される、請求項８に記載の組成物。
【請求項１０】
前記チロシンヒドロキシラーゼ阻害剤がα−メチル−Ｄ−チロシンである、請求項１に記載の組成物。
【請求項１１】
前記チロシンヒドロキシラーゼ阻害剤がα−メチル−Ｌ−チロシンである、請求項１に記載の組成物。
【請求項１２】
前記チロシンヒドロキシラーゼ阻害剤がα−メチル−Ｄ−チロシン及びα−メチル−Ｌ−チロシンである、請求項１に記載の組成物。
【請求項１３】
前記チロシンヒドロキシラーゼ阻害剤がラセミ体のα−メチル−ＤＬ−チロシンである、請求項１に記載の組成物。
【請求項１４】
前記対象がヒトである、請求項１に記載の組成物。
【請求項１５】
前記網膜症が糖尿病性網膜症である、請求項１に記載の組成物。
【請求項１６】
前記治療法が、前記対象における前記糖尿病性網膜症の進行を評価することをさらに含む、請求項１５に記載の組成物。
【請求項１７】
前記網膜症が黄斑変性である、請求項１に記載の組成物。
【請求項１８】
前記黄斑変性が滲出型黄斑変性である、請求項１７に記載の組成物。
【請求項１９】
前記黄斑変性が萎縮型黄斑変性である、請求項１７に記載の組成物。
【請求項２０】
前記治療法が、前記対象における前記黄斑変性の進行を評価することをさらに含む、請求項１７に記載の組成物。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
式（７）の塩： 
【化１】
2020517668.tif 000001
を製造する方法であって、
（ａ）式（２）の化合物： 
【化２】
2020517668.tif 000002
またはその塩を式（３）の化合物：
【化３】
2020517668.tif 000003
またはその塩と接触させる工程、を含んでなる、式（１）の化合物：
【化４】
2020517668.tif 000004
またはその塩を製造する工程、
（ｂ）式（１）の化合物：
【化５】
2020517668.tif 000005
またはその塩を触媒と接触させる工程、を含んでなる、式（５）の化合物： 
【化６】
2020517668.tif 000006
またはその塩を製造する工程、
（ｃ）式（５）の化合物： 
【化７】
2020517668.tif 000007
［式中、
Ｒ１は、Ｈまたはアミン保護基であり；
Ｒ２は、Ｈ、Ｃ１−１０アルキル、Ｃ１−１０ハロアルキル、またはアリールであり；
各Ｒ３は、独立に、Ｈ、ハロゲン、Ｃ１−１０アルキル、Ｃ１−１０ハロアルキル、またはアリールであり、かつ
Ａは、陽イオンである］
またはその塩を金属水酸化物と接触させる工程、
を含んでなる、方法。
【請求項２】
工程（ａ）における接触がトリフルオロ酢酸（ＴＦＡ）の存在下で行われる、請求項１に記載の方法。
【請求項３】
Ｒ１が、ｔｅｒｔ−ブチルオキシカルボニル（Ｂｏｃ）、９−フルオレニルメチルオキシカルボニル（Ｆｍｏｃ）、カルボキシベンジル基（Ｃｂｚ）、ｐ−メトキシベンジルカルボニル（Ｍｏｚ）、アセチル（Ａｃ）、ベンゾイル（Ｂｚ）、ｐ−メトキシベンジル（ＰＭＢ）、３，４−ジメトキシベンジル（ＤＭＰＭ）、ｐ−メトキシフェニル（ＰＭＰ）、２−ナフチルメチルエーテル（Ｎａｐ）、トシル（Ｔｓ）、またはクロロギ酸トリクロロエチル（Ｔｒｏｃ）である、請求項１または２に記載の方法。
【請求項４】
Ｒ１が、ｔｅｒｔ−ブチルオキシカルボニル基（Ｂｏｃ）である、請求項１〜３のいずれか一項に記載の方法。
【請求項５】
前記式（１）の化合物またはその塩が、式（４）：
【化８】
2020517668.tif 000008
の構造を有する、請求項１に記載の方法。
【請求項６】
工程（ｂ）における前記触媒がトリフルオロメタンスルホン酸銅（ＩＩ）（Ｃｕ（ＯＴｆ）２）である、請求項１に記載の方法。
【請求項７】
工程（ｂ）における接触がテトラヒドロフラン（ＴＨＦ）の存在下で行われる、請求項１に記載の方法。
【請求項８】
工程（ｂ）の前記式（５）の化合物が、式（６）：
【化９】
2020517668.tif 000009
の構造を有する、請求項１に記載の方法。
【請求項９】
工程（ｃ）における前記陽イオンがアルカリ金属陽イオンである、請求項１に記載の方法。
【請求項１０】
前記アルカリ金属陽イオンがリチウム陽イオンである、請求項９に記載の方法。
【請求項１１】
Ｒ１がアミン保護基である、請求項９または１０に記載の方法。
【請求項１２】
前記アミン保護基が、ｔｅｒｔ−ブチルオキシカルボニル（Ｂｏｃ）、９−フルオレニルメチルオキシカルボニル（Ｆｍｏｃ）、カルボキシベンジル基（Ｃｂｚ）、ｐ−メトキシベンジルカルボニル（Ｍｏｚ）、アセチル（Ａｃ）、ベンゾイル（Ｂｚ）、ｐ−メトキシベンジル（ＰＭＢ）、３，４−ジメトキシベンジル（ＤＭＰＭ）、ｐ−メトキシフェニル（ＰＭＰ）、２−ナフチルメチルエーテル（Ｎａｐ）、トシル（Ｔｓ）、またはクロロギ酸トリクロロエチル（Ｔｒｏｃ）である、請求項１１に記載の方法。
【請求項１３】
前記アミン保護基が、ｔｅｒｔ−ブチルオキシカルボニル基（Ｂｏｃ）である、請求項１２に記載の方法。
【請求項１４】
Ｒ２がＣ１−１０アルキルである、請求項１または９〜１３のいずれか一項に記載の方法。
【請求項１５】
Ｒ２がメチルである、請求項１４に記載の方法。
【請求項１６】
各Ｒ３がＨである、請求項１または９〜１５のいずれか一項に記載の方法。
【請求項１７】
前記式（７）の塩が、式（８）：
【化１０】
2020517668.tif 000010
の構造を有する、請求項１６に記載の方法。
【請求項１８】
式（９）の化合物： 
【化１１】
2020517668.tif 000011
またはその塩を製造する方法であって、
式（７）の化合物：
【化１２】
2020517668.tif 000012
［式中、
Ｒ１は、Ｈまたはアミン保護基であり；
Ｒ２は、Ｈ、Ｃ１−１０アルキル、Ｃ１−１０ハロアルキル、またはアリールであり；
各Ｒ３は、独立に、Ｈ、ハロゲン、Ｃ１−１０アルキル、Ｃ１−１０ハロアルキル、またはアリールであり；かつ
Ａは、陽イオンである］
またはその塩をカップリング試薬および水酸化アンモニウムと接触させる工程を含んでなる、方法。
【請求項１９】
前記式（９）の化合物またはその塩が、以下：
【化１３】
2020517668.tif 000013
の構造を有する、請求項１８に記載の方法。
【請求項２０】
前記式（９）の化合物またはその塩が、式（１１）：
【化１４】
2020517668.tif 000014
の構造を有する、請求項１８に記載の方法。
【請求項２１】
前記式（９）の化合物またはその塩が、式（１２）：
【化１５】
2020517668.tif 000015
の構造を有する、請求項１８に記載の方法。
【請求項２２】
式（１１）の塩： 
【化１６】
2020517668.tif 000016
を製造する方法であって、
式（９）の化合物： 
【化１７】
2020517668.tif 000017
［式中、
Ｒ１は、Ｈまたはアミン保護基であり；
Ｒ２は、Ｈ、Ｃ１−１０アルキル、Ｃ１−１０ハロアルキル、またはアリールであり；かつ
各Ｒ３は、独立に、Ｈ、ハロゲン、Ｃ１−１０アルキル、Ｃ１−１０ハロアルキル、またはアリールである］
またはその塩をパラ−トルエンスルホン酸一水和物（ｐＴＳＡ・Ｈ２Ｏ）と接触させる工程を含んでなる、方法。
【請求項２３】
各Ｒ３がＨである、請求項２２に記載の方法。
【請求項２４】
前記式（１１）の塩が、式（１２）：
【化１８】
2020517668.tif 000018
の構造を有する、請求項２３に記載の方法。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
交代勤務障害に伴う過度の眠気の治療のための医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項２】
交代勤務障害の治療のための医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項３】
交代勤務に起因する概日リズム機能不全をモジュレートする作用剤である医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項４】
交代勤務障害患者の覚醒を促進するための医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項５】
交代勤務障害に伴う認知機能障害、たとえば、各々交代勤務障害に伴う学習障害、精神運動機能障害、注意力障害、持続的注意力障害、作業記憶障害、エピソード記憶障害、遂行機能障害、聴覚情報処理速度障害、聴覚情報処理柔軟性障害、及び計算能力障害の治療のための医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項６】
１−（１−メチル−６−オキソ−１，６−ジヒドロピリダジン−３−イル）ピペリジン−４−イル４−シクロブチルピペラジン−１−カルボキシレート又はその薬学的に許容可能な塩が、少なくとも１つの薬学的に許容可能な賦形剤をさらに含む医薬組成物の形態で投与される、請求項１〜５のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項７】
１−（１−メチル−６−オキソ−１，６−ジヒドロピリダジン−３−イル）ピペリジン−４−イル４−シクロブチルピペラジン−１−カルボキシレート又はその薬学的に許容可能な塩が、１つ以上のさらなる医薬活性成分との組合せで投与される、請求項１〜６のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項８】
前記さらなる医薬活性成分が覚醒促進剤である、請求項７に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項９】
前記覚醒促進剤が、モダフィニル、アルモダフィニル、カフェイン、メチルフェニデート、デキストロアンフェタミン、及びナトリウムオキシベートからなる群又はそれらの薬学的に許容可能な塩から選択される、請求項８に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１０】
前記覚醒促進剤が、モダフィニル又はアルモダフィニル又はそれらの薬学的に許容可能な塩である、請求項８に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１１】
１−（１−メチル−６−オキソ−１，６−ジヒドロピリダジン−３−イル）ピペリジン−４−イル４−シクロブチルピペラジン−１−カルボキシレートが、０．１ｍｇ／日〜１００ｍｇ／日、特定的には１ｍｇ／日〜５０ｍｇ／日、たとえば２ｍｇ／日〜１０ｍｇ／日、より特定的には５ｍｇ／日の量で投与される、請求項１〜１０のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１２】
１−（１−メチル−６−オキソ−１，６−ジヒドロピリダジン−３−イル）ピペリジン−４−イル４−シクロブチルピペラジン−１−カルボキシレート又はその薬学的に許容可能な塩が、眠気を催す不眠者の交代勤務障害患者又は眠気を催す非不眠者の交代勤務障害患者に投与される、請求項１〜１１のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１３】
１−（１−メチル−６−オキソ−１，６−ジヒドロピリダジン−３−イル）ピペリジン−４−イル４−シクロブチルピペラジン−１−カルボキシレート又はその薬学的に許容可能な塩が経口投与される、請求項１〜１２のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１４】
交代勤務障害が、夜勤交代勤務、ローテート交代勤務、夕勤交代勤務、又は早朝勤交代勤務、特定的には夜勤交代勤務、たとえば常夜勤交代勤務又はローテート夜勤交代勤務に関連する、請求項１〜１３のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１５】
交代勤務が、夜勤交代勤務、ローテート交代勤務、夕勤交代勤務、又は早朝勤交代勤務、特定的には夜勤交代勤務、たとえば常夜勤交代勤務又はローテート夜勤交代勤務である、請求項１〜１４のいずれか一項に記載の医薬の製造における１−（１−メチル−６−オキソ−１，６−ジヒドロピリダジン−３−イル）ピペリジン−４−イル４−シクロブチルピペラジン−１−カルボキシレート又はその薬学的に許容可能な塩の使用。
【請求項１６】
１−（１−メチル−６−オキソ−１，６−ジヒドロピリダジン−３−イル）ピペリジン−４−イル４−シクロブチルピペラジン−１−カルボキシレート又はその薬学的に許容可能な塩と、モダフィニル、アルモダフィニル、カフェイン、メチルフェニデート、デキストロアンフェタミン、及びナトリウムオキシベートからなる群又はそれらの薬学的に許容可能な塩から選択される少なくとも１つの活性成分と、を含む組合せ。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
骨格筋ジストロフィーの治療を必要とする対象において骨格筋ジストロフィーを治療するのに使用するための組成物であって、治療有効量の心筋球由来細胞（ＣＤＣ）を含み、前記治療有効量のＣＤＣが、前記対象の異栄養性骨格筋を治療するのに十分である、組成物。
【請求項２】
前記骨格筋ジストロフィーが、骨格筋のジストロフィン異常症を伴うデュシェンヌ型筋ジストロフィー（ＤＭＤ）である、請求項１に記載の組成物。
【請求項３】
前記骨格筋ジストロフィーが、骨格筋のジストロフィン異常症を伴うベッカー型筋ジストロフィーである、請求項１に記載の組成物。
【請求項４】
前記異栄養性骨格筋が、横隔膜、腕又は脚の骨格筋である、請求項１〜３のいずれか１項に記載の組成物。
【請求項５】
前記治療有効量のＣＤＣが、異栄養性骨格筋における筋肉注射を介して前記対象に投与されるように構成されている、請求項１〜４のいずれか１項に記載の組成物。
【請求項６】
前記治療有効量のＣＤＣが、前記対象に全身投与されるように構成されている、請求項１〜４のいずれか１項に記載の組成物。
【請求項７】
前記治療有効量のＣＤＣが、静脈注射を介して投与されるように構成されている、請求項６に記載の組成物。
【請求項８】
前記治療有効量のＣＤＣが、右心室または左心室への注射を介して投与されるように構成されている、請求項６に記載の組成物。
【請求項９】
前記治療有効量のＣＤＣが、腹腔内注射を介して投与されるように構成されている、請求項１〜４のいずれか１項に記載の組成物。
【請求項１０】
心臓ではない部位において前記対象に投与されるように構成されている、請求項１〜４のいずれか１項に記載の組成物。
【請求項１１】
前記治療有効量のＣＤＣが、前記組成物の２回以上の投与を介して送達される、請求項１〜１０のいずれか１項に記載の組成物。
【請求項１２】
ＣＤＣの前記２回以上の投与が、約３カ月の間隔で行われる、請求項１１に記載の組成物。
【請求項１３】
前記治療有効量のＣＤＣが、単回の投与を介して送達される、請求項１〜１０のいずれか１項に記載の組成物。
【請求項１４】
前記治療有効量のＣＤＣが、約７５×１０６個のＣＤＣであるか、又は少なくとも約７５×１０６個のＣＤＣである、請求項１〜１３のいずれか１項に記載の組成物。
【請求項１５】
前記治療有効量のＣＤＣが、約１５０×１０６個のＣＤＣであるか、又は少なくとも約１５０×１０６個のＣＤＣである、請求項１〜１３のいずれか１項に記載の組成物。
【請求項１６】
前記治療有効量のＣＤＣが、約１×１０７個〜約１×１０９個のＣＤＣを含む、請求項１〜１３のいずれか１項に記載の組成物。
【請求項１７】
前記ＣＤＣが同種ヒトＣＤＣであり、前記対象がヒト対象である、請求項１〜１６のいずれか１項に記載の組成物。
【請求項１８】
前記対象が小児対象である、請求項１〜１６のいずれか１項に記載の組成物。
【請求項１９】
前記対象が３歳〜１１歳である、請求項１７に記載の組成物。
【請求項２０】
前記対象が１２歳〜１８歳である、請求項１７に記載の組成物。
【請求項２１】
ステロイドと共に投与されるように構成されている、請求項１〜２０のいずれか１項に記載の組成物。
【請求項２２】
前記対象がヒトである、請求項１〜２１のいずれか１項に記載の組成物。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
ウイルスの宿主細胞への侵入を阻止するための、一般式Iの化合物
【化１】
2020517603.tif 000001
一般式I
(式中、
R1は、２個を超える炭素を含む、窒素から伸びている修飾アルキル鎖であり、
R2は、臭素またはヨウ素であり、
R3は、水素またはフェノール環付加物であり、
R4は、水素またはフェニル基である)
またはその医薬的に許容される誘導体を含む医薬組成物。
【請求項２】
前記ウイルスが、エボラウイルスである、請求項１記載の医薬組成物。
【請求項３】
前記宿主細胞がヒト細胞である、請求項１または２記載の医薬組成物。
【請求項４】
医薬的に許容される担体をさらに含む、請求項１または２または３に記載の医薬組成物。
【請求項５】
一般式Iの化合物が１００を超える選択指数を有し、前記選択指数が、前記化合物が５０％の活性を持つ濃度（ＩＣ50）を、毒性が５０％に達する濃度（ＣＣ50）で割ることにより計算される値である、請求項１〜４のいずれか一項に記載の医薬組成物。
【請求項６】
被検者におけるウイルス感染症を治療または予防するための医薬組成物であって、一般式Iの化合物
【化２】
2020517603.tif 000002
一般式I
(式中、
R1は、２個を超える炭素を含む、窒素から伸びている修飾アルキル鎖であり、
R2は、臭素またはヨウ素であり、
R3は、水素またはフェノール環付加物であり、
R4は、水素またはフェニル基である)
またはその医薬的に許容される誘導体を含む上記医薬組成物。
【請求項７】
前記ウイルス感染症がエボラウイルス感染症である、請求項６記載の医薬組成物。
【請求項８】
4-(7-ヨードキノリン-4-イルアミノ)-2-メチルプロピルアミノメチルフェノールを含む、請求項６または７記載の医薬組成物。
【請求項９】
4-(7-ヨードキノリン-4-イルアミノ)-2-メチルペンチルアミノメチルフェノールを含む、請求項６または７記載の医薬組成物。
【請求項１０】
4-(7-ヨードキノリン-4-イルアミノ)-2-ヘキシルメチルアミノメチルフェノールを含む、請求項６または７記載の医薬組成物。
【請求項１１】
4-(7-ヨードキノリン-4-イルアミノ)-2-メチルオクチルアミノメチルフェノールを含む、請求項６または７記載の医薬組成物。
【請求項１２】
4-(7-ヨードキノリン-4-イルアミノ)-2-エチル(2-ヒドロキシエチル)アミノメチルフェノールを含む、請求項６または７記載の医薬組成物。
【請求項１３】
4-(7-ヨードキノリン-4-イルアミノ)-2-エチルプロピルアミノメチルフェノールを含む、請求項６または７記載の医薬組成物。
【請求項１４】
4-(7-ヨードキノリン-4-イルアミノ)-2-(1-ピペリジニルメチル)フェノールを含む、請求項６または７記載の医薬組成物。
【誤訳訂正書】
【提出日】令和3年4月23日(2021.4.23)
【誤訳訂正１】
【訂正対象書類名】明細書
【訂正対象項目名】０００８
【訂正方法】変更
【訂正の内容】
【０００８】
本発明の一実施形態では、マイクロ波アブレーション装置であって、供給ラインと、マイクロ波ラジエータと、供給ラインの少なくとも一部が中に収容されている装置外側シースとを含み、使用時にシースは、そこを通って潅注液体が流れることを許容し、供給ラインは、ラジエータとの接合部を有し、その接合部において終端し、絶縁された外側導電シールドを有し、供給ラインは、ラジエータまで延在する導電コアを有し、導電コアは、その周辺環境から電気絶縁された放射素子を形成し、ラジエータは不平衡である、マイクロ波アブレーション装置が提供される。
【誤訳訂正２】
【訂正対象書類名】明細書
【訂正対象項目名】０００９
【訂正方法】変更
【訂正の内容】
【０００９】
好ましくは、供給ラインもまた不平衡である。
【誤訳訂正３】
【訂正対象書類名】明細書
【訂正対象項目名】００１０
【訂正方法】変更
【訂正の内容】
【００１０】
さらなる実施形態では、マイクロ波アブレーション装置であって、電気絶縁された供給ラインと、マイクロ波ラジエータと、供給ラインの少なくとも一部が中に収容されている装置外側シースとを含み、使用時にシースは、そこを通って潅注液体が流れることを許容し、供給ラインの外側導電シールドは、導電コアおよび周辺環境において終端し、絶縁され、供給ラインは、シールドを越えて延在し、ラジエータになる導電コアを有し、導電コアは、その周辺環境から電気絶縁された放射素子を形成し、ラジエータは、供給ラインのインピーダンスに整合せず、遠位端部において不平衡である、マイクロ波アブレーション装置が提供される。
【誤訳訂正４】
【訂正対象書類名】明細書
【訂正対象項目名】００４０
【訂正方法】変更
【訂正の内容】
【００４０】
チョーク部、コイル、地表面、ラジアル、エンドキャップ、または任意の他のかかる構造体を含まず、装置は、外側導電シールド２８上の負荷と導電コア３２（導電コア３２の放射素子３４部分を含む）とが整合しないという点において著しく「不平衡」である。これは、これらの構造体を使用して、アンテナをファーフィールドにおいて最小の電力損失および伝導効率で生み出す従来のアンテナ設計の実践とは対照的である。
【誤訳訂正５】
【訂正対象書類名】明細書
【訂正対象項目名】００４８
【訂正方法】変更
【訂正の内容】
【００４８】
図１〜３に関連する説明と同様に、生理食塩水水溶液などの潅注液体がシース４６の中に圧送され、この実施形態では、生理食塩水水溶液は、供給ライン２２上を通過するだけでなく、絶縁材料３６によって収容されるような放射素子３４の長さ方向の大部分に沿っても通過する。これは、マイクロ波エネルギーの放射によって引き起こされる局部的な熱の除去ならびに装置の不平衡な性質を助ける。外側装置シース４６と動脈１２の内壁１４（すなわち、腎動脈の内腔表面）との間を血液が流れ、これが、アブレーション工程中にさらなる（および二次的な）局部冷却を許容することがさらに理解されるであろう。この血液の流れは、腎神経を収容するより深い範囲（例えば、外側または外膜層を含む）がアブレーションされる間、動脈１２の内膜および中膜（内側および中間）層１６および１８を保護する。
【誤訳訂正６】
【訂正対象書類名】特許請求の範囲
【訂正対象項目名】請求項１
【訂正方法】変更
【訂正の内容】
【請求項１】
マイクロ波アブレーション装置であって、供給ラインと、マイクロ波ラジエータと、前記供給ラインの少なくとも一部が中に収容されている装置外側シースとを含み、使用時に前記装置外側シースが、そこを通じて潅注液体が流れることを許容するものであり、
前記供給ラインは、前記マイクロ波ラジエータとの接合部を有し、前記接合部において終端し絶縁された外側導電シールドを有し、
前記供給ラインは、前記マイクロ波ラジエータまで延在する導電コアを有し、前記導電コアの一部は、遠位端部で、その周辺環境から電気絶縁された前記マイクロ波ラジエータを形成し、
前記マイクロ波ラジエータが前記供給ラインのインピーダンスと整合せず、かつ、前記遠位端部で不平衡である、マイクロ波アブレーション装置。
【誤訳訂正７】
【訂正対象書類名】特許請求の範囲
【訂正対象項目名】請求項１１
【訂正方法】変更
【訂正の内容】
【請求項１１】
前記装置が、前記外側導電シールドと導電コアとでそれぞれ負荷が異なるという点において不平衡であるように構成される、請求項１〜１０のいずれか一項に記載のマイクロ波アブレーション装置。
【誤訳訂正８】
【訂正対象書類名】特許請求の範囲
【訂正対象項目名】請求項１３
【訂正方法】変更
【訂正の内容】
【請求項１３】
前記外側導電シールドが、前記接合部において前記外側導電シールドの遠位端部を覆う絶縁接着剤もしくはスリーブ、または、前記装置の外表面から前記外側導電シールドを絶縁するための前記装置外側シース、により電気絶縁されている、請求項１〜１２のいずれか一項に記載のマイクロ波アブレーション装置。
【誤訳訂正書】
【提出日】令和2年11月26日(2020.11.26)
【誤訳訂正１】
【訂正対象書類名】明細書
【訂正対象項目名】００７３
【訂正方法】変更
【訂正の内容】
【００７３】
【表４】
2018522875.tif 000001
【誤訳訂正２】
【訂正対象書類名】特許請求の範囲
【訂正対象項目名】全文
【訂正方法】変更
【訂正の内容】
【特許請求の範囲】
【請求項１】
ジアセレイン、レイン、モノアセチルレインおよびそれらの塩またはエステルまたはプロドラッグから成る群より選択される化合物の治療有効量、ならびに１つ以上の医薬として許容される賦形剤を含有する局所医薬組成物であって、前記組成物が、軟膏の形態であり、前記化合物の少なくとも約９０体積％が、約０．５から約３５μｍの粒子径を有し、前記組成物が、組成物全体の重量に基づいて、約０．１重量％から約１０重量％の前記化合物、約１５重量％から約９９重量％の白色ワセリン、約０重量％から約６０重量％の鉱油、および約０％から約１０％重量％のセチルアルコールを含む、前記局所医薬組成物。
【請求項２】
前記化合物の少なくとも約９０体積％が、約１０から約３０μｍの粒子径を有する、請求項１に記載の組成物。
【請求項３】
前記化合物の少なくとも約９０体積％が、約１２から約２５μｍの粒子径を有する、請求項１に記載の組成物。
【請求項４】
アトピー性皮膚炎、乾癬、嚢胞性乾癬、酒さ、ケロイド、過形成性瘢痕、ざ瘡、ネザートン症候群、または結節性痒疹を含む他の掻痒性皮膚病から選択される炎症性および／または過剰増殖性および掻痒性皮膚疾患、高齢者の不特定のかゆみ、ならびに老化皮膚および表皮水疱症を含む表皮バリア機能障害を伴う疾患の処置における使用のための、請求項１に記載の組成物であって、当該処置が、処置を必要とする被験体に、請求項１に記載の組成物の有効量を投与することを含む、前記組成物。
【請求項５】
表皮水疱症の処置における使用のための、請求項１に記載の組成物。
【請求項６】
前記化合物が、前記組成物全体の約０．１重量％から５．０重量％の量で存在する、請求項１に記載の組成物。
【請求項７】
前記化合物が、前記組成物全体の約０．５重量％から約２．０重量％の量で存在する、請求項１に記載の組成物。
【請求項８】
１日１回組成物または１日２回組成物である、請求項１に記載の組成物。
【請求項９】
組成物全体の重量に基づいて、約１重量％の前記化合物、約８２重量％から約８４．５重量％の白色ワセリン、約１２重量％から約１６重量％の鉱油、および約０．５％から約２．０％重量％のセチルアルコールを含む、請求項１に記載の組成物。
【請求項１０】
炎症性および／または過剰増殖性および掻痒性の皮膚疾患、ならびに表皮バリア機能障害を伴う疾患の処置のための医薬の製造における、請求項１に記載の組成物の使用であって、当該処置において、処置を必要とする被験体に、当該組成物の有効量が投与される、前記使用。
【請求項１１】
前記表皮バリア機能障害を伴う疾患が、老化皮膚および表皮水疱症を含む、請求項１０に記載の使用。
【誤訳訂正書】
【提出日】令和3年1月5日(2021.1.5)
【誤訳訂正１】
【訂正対象書類名】特許請求の範囲
【訂正対象項目名】全文
【訂正方法】変更
【訂正の内容】
【特許請求の範囲】
【請求項１】
グリップと、前記グリップに回転軸を介して接続される引き金と、グリップに固定されるスリーブと、引き金に接続され、前記スリーブ内に設けられ、スリーブ内を往復運動できる搬送レバーと、前記スリーブの先端に設けられ、搬送レバーに圧迫されて閉じられ圧迫作用を生じさせるように開閉できる押抜せん断ウェッジと、を含む糸結び器であって、前記搬送レバーの先端に設けられたシャー刃をさらに含み、前記シャー刃のハンドルは、弾性部材によって開かれるとともに、搬送レバーの圧迫により閉じられて縫合糸をカットすることを特徴とする糸結び器。
【請求項２】
前記ハンドルは、互いにヒンジ接続される第１のハンドル部及び第２のハンドル部を含み、前記第１のハンドル部と前記第２のハンドル部との間に前記弾性部材が設けられていることを特徴とする請求項１に記載の糸結び器。
【請求項３】
前記搬送レバーは、前記第１のハンドル部と前記第２のハンドル部とを向かい合って圧迫するためのＵ字溝を含むことを特徴とする請求項２に記載の糸結び器。
【請求項４】
前記第１のハンドル部の端部には第１の受力アームが設けられ、前記第２のハンドル部の端部には第２の受力アームが設けられ、前記第１の受力アームと前記第２の受力アームとが前記Ｕ字溝に近づく方向に沿って徐々に接近することを特徴とする請求項３に記載の糸結び器。
【請求項５】
前記第１のハンドル部と前記第２のハンドル部との間は、リベットを介してヒンジ接続され、前記リベットの一端が前記押抜せん断ウェッジに固定挿入されることを特徴とする請求項２に記載の糸結び器。
【請求項６】
前記弾性部材は圧縮ばねであることを特徴とする請求項１に記載の糸結び器。
【請求項７】
前記押抜せん断ウェッジは、開閉可能な金属クランプであり、付根部で繋がる両翼からなり、一翼に第１の圧迫面を有し、他翼に第２の圧迫面を有し、前記第２の圧迫面を有する他翼と前記スリーブの内壁とが接触し、且つ前記第１の圧迫面と前記第２の圧迫面との間にガイドスレッドリングの閉じネイルが挟持されていることを特徴とする請求項１〜６のうち何れか一項に記載の糸結び器。
【請求項８】
請求項１〜７のうち何れか一項に記載の糸結び器を備え、ガイドスレッドリングをさらに備え、前記ガイドスレッドリングは、ガイドスレッドホルダと、閉じネイルと、牽引フックと、ガイドスレッドとを含み、前記ガイドスレッドは前記ガイドスレッドホルダに巻回され、前記閉じネイルを貫いた後、前記牽引フックに接続され、前記閉じネイルは前記押抜せん断ウェッジにより圧迫固定され、前記牽引フック、前記ガイドスレッドは、前記シャー刃のヘッドの隙間を貫くことを特徴とする低侵襲型糸結びシステム。
【誤訳訂正２】
【訂正対象書類名】明細書
【訂正対象項目名】０００５
【訂正方法】変更
【訂正の内容】
【０００５】
上記の特許文献１の低侵襲型糸結びシステムは、図１に示す糸結び器と図２に示すガイドスレッドリングとを備える。糸結び器は、グリップ、引き金１、搬送レバー６、スリーブ７、カッター８、押抜せん断ウェッジ１２を含む。グリップと引き金１とは、第１のヒンジ接続部材４を介して引張りばね３に接続され、搬送レバー６の末端と引き金１とは、第２のヒンジ接続部材５を介して接続される。また、ガイドスレッドリングは、牽引フック１４、閉じネイル１５及びガイドスレッド１６を含む。
【誤訳訂正３】
【訂正対象書類名】明細書
【訂正対象項目名】００１０
【訂正方法】変更
【訂正の内容】
【００１０】
上記課題を解決するために、本発明は、糸結び器を提供し、グリップと、前記グリップに回転軸を介して接続される引き金と、グリップに固定されるスリーブと、引き金に接続され、前記スリーブ内に設けられ、スリーブ内を往復運動する搬送レバーと、前記スリーブの先端に設けられ、搬送レバーに圧迫されて閉じられ圧迫作用を生じさせるように開閉できる押抜せん断ウェッジと、を含み、前記搬送レバーの先端に設けられたシャー刃をさらに含み、前記シャー刃のハンドルは、弾性部材によって開かれるとともに、搬送レバーの圧迫により閉じられて縫合糸をカットする。
【誤訳訂正４】
【訂正対象書類名】明細書
【訂正対象項目名】００１８
【訂正方法】変更
【訂正の内容】
【００１８】
本発明の構成は、以下の有益な効果を有する。本発明の糸結び器は、グリップと、前記グリップに回転軸を介して接続される引き金と、グリップに固定されるスリーブと、引き金に接続され、前記スリーブ内に設けられ、スリーブ内を往復運動できる搬送レバーと、前記スリーブの先端に設けられ、搬送レバーに圧迫されて閉じられ圧迫作用を生じさせるように開閉できる押抜せん断ウェッジと、を含み、前記搬送レバーの先端に設けられたシャー刃をさらに含み、前記シャー刃のハンドルは、弾性部材によって開かれるとともに、搬送レバーの圧迫により閉じられて縫合糸をカットする。該構成の糸結び器は、従来のカッターの代わりにシャー刃を用いるとともに、搬送レバーによって、シャー刃が閉じられるように駆動してせん断機能を実現する。もちろん、シャー刃で縫合糸をせん断する際に、刃先の切れ味への要求が大幅に低減され、通常の加工方法でも実現することができ、これにより、信頼性を保証すると同時に、コストを大きく低減する。そして、このような構成では、縫合糸による刃先の磨耗が低下するため、製品の使用寿命が格段に長くなり、糸を結んだ後のカット機能をより速くてよりよく実現することができる。
【誤訳訂正５】
【訂正対象書類名】明細書
【訂正対象項目名】００２５
【訂正方法】変更
【訂正の内容】
【００２５】
図４を参照し、本実施例の糸結び器は、グリップと、前記グリップに回転軸を介して接続される引き金１と、グリップに固定されるスリーブ７と、引き金１に接続され、前記スリーブ７内に設けられ、スリーブ７内を往復運動できる搬送レバー６と、前記スリーブ７の先端に設けられ、搬送レバー６に圧迫されて閉じられ圧迫作用を生じさせるように開閉できる押抜せん断ウェッジ(未図示)と、を含む。これによって、本実施例と従来技術における糸結び器は、縫合糸のせん断構造、即ち、図４におけるＩ部分が異なる。
【誤訳訂正６】
【訂正対象書類名】明細書
【訂正対象項目名】００３７
【訂正方法】変更
【訂正の内容】
【００３７】
１  引き金
２  グリップ
３  引張りばね
４  第１のヒンジ接続部材
５  第２のヒンジ接続部材
６  搬送レバー
７  スリーブ
８  カッター
９  第１の糸通し穴
１０  第２の糸通し穴
１１  プレスタング
１２  押抜せん断ウェッジ
１３  カッター係止溝
１４  牽引フック
１５  閉じネイル
１６  ガイドスレッド
１７  ガイドスレッドホルダ
１８  シャー刃
１８１  第１の受力アーム
１８２  第２の受力アーム
１９  圧縮ばね
２０  リベット
２１  Ｕ字溝
【誤訳訂正書】
【提出日】令和2年12月15日(2020.12.15)
【誤訳訂正１】
【訂正対象書類名】明細書
【訂正対象項目名】００２４
【訂正方法】変更
【訂正の内容】
【００２４】
セラミックナノファイバーの滑らかさは、図７に示されているようなアニーリング・パラメーターに依存し、例では０．３ｎｍから０．８ｎｍまでの値をもたらしている。滑らかさは、二乗平均平方根粗さＲｑに対応し、これは、加熱／冷却速度ならびに方法（対流／マイクロ波）に依存する。予想された通り、結晶サイズは、加熱／冷却速度の増加と共に低減し、したがって、滑らかさはこれに対応して低減する。
【誤訳訂正２】
【訂正対象書類名】明細書
【訂正対象項目名】００２５
【訂正方法】変更
【訂正の内容】
【００２５】
本発明による第２工程は、独立請求項５および６によりナノファイバーから作製した、フレキシブル・セラミック充填剤または一般的にはセラミック試料（フィルムまたはマット）としてスピニングした（不織の）セラミックナノファイバーを使用する。試料、すなわち生成した不織マットは、図５に示されている。セラミック試料は、請求項５のａ．〜ｅ．および請求項７のａ．〜ｃ．によりポリマー溶液を含浸させ、これによって、セラミックナノファイバーがポリマーのみでコーティングされている、試料およびポリマーで作製された複合材料が生成される。請求項６は、対応する高密度複合体を作製する工程について記載している。したがって、請求項６のステップａ．〜ｃ．は、複合材料の熱硬化について記載している。０°近くの曲げ半径まで曲げることができる複合体またはフィルムを形成する複合材料、すなわち、図６Ａ〜６Ｄに示されているように、フィルムの反対端どうしを互いに近づけて一緒に曲げることができる。
【誤訳訂正３】
【訂正対象書類名】明細書
【訂正対象項目名】００３５
【訂正方法】変更
【訂正の内容】
【００３５】
出願人らは、非希釈のＰＤＭＳ前駆体溶液中にセラミックファイバーを組み込むことにより、セラミックナノファイバー／総重量の所望の低い比を達成した。非希釈のＰＤＭＳ前駆体溶液は、１０００〜１５００００（ｍＰａ・ｓ）、好ましくは１５００〜１５０００（ｍＰａ・ｓ）の間の範囲の粘度を好んだ。したがって、出願人らは、請求項６に記載されているように、０．１〜５．０ミリメートル（ｍｍ）の間の好ましい厚さで、平坦および剛性の表面上に非希釈溶液をキャスティングした。
【誤訳訂正４】
【訂正対象書類名】特許請求の範囲
【訂正対象項目名】請求項１
【訂正方法】変更
【訂正の内容】
【請求項１】
フレキシブル・セラミックナノファイバーおよびポリマーを含むフレキシブル複合材料を作製するための方法であって、
ａ．セラミックファイバーの前駆体溶液を調製するステップであって、前駆体溶液が、（ｉ）金属が好ましくはＳｉ４＋、Ｚｒ４＋、Ｔｉ４＋、Ｙ３＋、Ａｌ３＋、Ｚｎ２＋、Ｍｇ２＋、Ｐｂ４＋、Ｎｉ２＋、Ｓｒ２＋、Ｃａ２＋、Ｌａ３＋からなる群から選択される、金属イオンおよび金属含有ポリマーからなる群から選択される、セラミックのための溶解した金属前駆体と、（ｉｉ）必要とされる堆積を得るための、前駆体溶液の粘度を増加させるためのポリマーであって、前駆体溶液の固形分（ポリマープラス前駆体）が５質量％超、好ましくは１５質量％である、ポリマーと、（ｉｉｉ）十分に高い蒸発速度が得られる前駆体溶液を提供することが可能な溶媒とを含む、ステップ；
ｂ．セラミックのための溶解した金属前駆体が、セラミックとしても公知の最終金属酸化物の形成を可能にする、ステップ；
ｃ．使用可能なファイバーをスピニングするために、剪断速度０．０１〜１ｓ−１、好ましくは０．１ｓ−１において、前駆体溶液の粘度を、０．０１〜１０００Ｐａｓｃａｌ秒（Ｐａ・ｓ）の間で、好ましくは０．０１〜５０００Ｐａｓｃａｌ秒（Ｐａ・ｓ）の間で維持するステップ；
ｄ．例えば、フォーススピニング、エレクトロスピニングおよびブロースピニングからなる群から選択されるスピニング工程を使用することによって、前駆体溶液をスピニングするステップであって、スピニング・ステップによりポリマーファイバーを生成することができるようにスピニング・パラメーターが調整可能であり、スピニング・パラメーターが各前駆体溶液に適応可能である、ステップ；
ｅ．すべての有機含有量が燃え尽き、金属イオンが酸化してセラミックを形成するまで、スピニング工程から得たポリマーファイバーをアニーリングするステップであって、ポリマーファイバーがセラミックのための金属前駆体を含む、ステップ；
ｆ．アニーリング・パラメーターを調整および較正するステップであって、アニーリング・パラメーターが、好ましくは不等辺四辺形の形状の熱プロファイルと一致する、加熱および冷却速度、アニーリング温度ならびに滞留時間を含み、よって、結晶化度が、結晶サイズ１〜１００ｎｍを含み、生成した２０〜１００００ｎｍの厚さのファイバーのＲｑの０．０５〜５ｎｍの滑らかさが得られ、アニーリング・パラメーターが、各材料組成に対して明確に異なり、特定のものである、ステップ；
ｇ．アニーリング温度をセラミックファイバーの結晶点を上回るように設定して、セラミック材料の形成をもたらすステップ；ならびに
ｈ．滞留時間を０〜５時間またはさらにより長く設定するステップ
を含み、さらに
ａ．０．１〜５．０ミリメートルの間の好ましい厚さを有する平坦および剛性の表面上のセラミックナノファイバー上に、希釈していないまたはわずかに希釈したポリマー溶液をキャスティングするステップ；
ｂ．好ましくはキャスティングした溶液の上にセラミックナノファイバーを堆積させ、これによって、毛管現象の力を介して全試料にわたり溶液を浸透させることを可能にするステップ；
ｃ．２０℃〜３００℃の間、好ましくは２０℃〜６０℃の間の温度のオーブン内に、予め決定された硬化時間にわたり試料を配置することによって、生成した溶液を浸透させた試料を熱硬化するステップであって、硬化した試料が１μｍ〜５ｍｍの範囲の典型的な厚さで、複合体の片側または両側にポリマー層を含む、ステップ；ならびに
ｄ．多孔性を有さない高密度複合体を達成するステップ；
を含む、
フレキシブル・セラミックナノファイバーおよびポリマーを含むフレキシブル複合材料を作製する方法。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
中枢神経系及び脈管神経系の病気の治療に使用するための式ＩＩＩの化合物であって、前記病気がパーキンソン病である、前記の化合物。
【化１】
2019519600.tif 000001
【請求項２】
神経障害性疼痛の治療に使用するための式ＩＩＩの化合物。
【請求項３】
中枢神経系及び脈管神経系の病気の治療に使用するための式ＩＩＩの化合物であって、前記病気が認知症である、前記の化合物。
【請求項４】
請求項３に記載の式ＩＩＩの化合物であって、前記病気がアルツハイマー病である、前記の化合物。
【請求項５】
請求項３に記載の式ＩＩＩの化合物であって、前記病気が血管性認知症である、前記の化合物。
【誤訳訂正書】
【提出日】令和3年9月18日(2021.9.18)
【誤訳訂正１】
【訂正対象書類名】特許請求の範囲
【訂正対象項目名】請求項４
【訂正方法】変更
【訂正の内容】
【請求項４】
前記少なくとも１種の毛髪ケア添加剤が、界面活性剤、コンディショニング剤、皮膚軟化剤、保湿剤、乳化剤、乳白剤、増粘剤、泡安定剤、粘度上昇剤、防腐剤、封鎖剤、酸化防止剤、フケ防止剤、懸濁剤、ｐＨ制御剤、タンパク質、香料、日焼け止め、及び植物抽出物のうちの少なくとも１種を含むことを特徴とする、請求項１に記載の方法。
【誤訳訂正２】
【訂正対象書類名】明細書
【訂正対象項目名】００５９
【訂正方法】変更
【訂正の内容】
【００５９】
［式中、ｘは、１３０〜１７０の平均値（好ましくは１４０〜１６０、より好ましくは１４５〜１５５、とりわけ好ましくは１５０の平均値）である。］によるものである。）を用意することと、直鎖状ポリプロピレングリコール及びステアリン酸のポリエチレングリコールジエステルを、≧６５℃（好ましくは６５〜１００℃、より好ましくは６５〜８０℃、とりわけ好ましくは７０〜７５℃）に加熱することと、直鎖状ポリプロピレングリコール及びステアリン酸のポリエチレングリコールジエステルを組み合わせること（好ましくは撹拌による）で、組み合わせを調製することと、次いで、ポリアルキレングリコールを組み合わせに添加すること（好ましくは、撹拌を継続しつつ）、その際、組み合わせの温度を、≦４５℃に下げること、次いで、セルロース系カチオン性ポリマー及び造膜性ノニオン性ポリエチレングリコールポリマーを組み合わせに添加すること（好ましくは、撹拌を継続しつつ）で、用意された毛髪ケア系濃縮物を調製することと、により提供される。
【誤訳訂正３】
【訂正対象書類名】明細書
【訂正対象項目名】００６１
【訂正方法】変更
【訂正の内容】
【００６１】
好ましくは、本発明の毛髪ケア処方物の製造方法において、用意された少なくとも１種の毛髪ケア添加剤は、界面活性剤／乳化剤（例えば、ノニオン性界面活性剤（例えば、トリデセス−６、トリデセス−１２、ポリソルベート−２０、ポリソルベート−４０、ポリソルベート−６０、ポリソルベート−８０、及びセテアレス−２０）、カチオン性界面活性剤（例えば、セトリモニウムクロライド、ベヘントリモニウムクロライド、ベヘントリモニウムメトサルフェート、クオタニウム−１８））、コンディショニング剤／皮膚軟化剤（例えば、ステアラミドプロピルジメチルアミン、ステアリルアルコール、ベヘントリモニウムクロライド、ベヘントリモニウムメトサルフェート、セチルアルコール、プロピレングリコール、メチルグルセス−１０、炭化水素油、エステル、天然油／植物抽出物／タンパク質／アミノ酸（例えば、アルガニアスポニサ核油、ツルマメ、加水分解小麦デンプン、加水分解小麦タンパク質、システイン、小麦アミノ酸、カカオ豆抽出物、メドウフォーム種子油、オリーブ果実油、スモモ属アーモンド）、シリコーン（例えば、アモジメチコン、ビスアミノプロピルジメチコン、シクロペンタシロキサン、シクロヘキサシロキサン、ジメチコン））、ワックス（例えば、脂肪アルコール、脂肪酸、グリセリルステアレート）、感覚調節剤、潤滑剤、抗菌剤／防腐剤（例えば、安息香酸、ソルビン酸、フェノキシエタノール、ベンジルアルコール、メチルクロロイソチアゾリノン、メチルイソチアゾリノン）、酸化防止剤（例えば、ブチル化ヒドロキシトルエン）、キレート剤、保湿剤（例えば、グリセリン、ソルビトール、モノグリセリド、レシチン、糖脂質、多糖類、植物抽出物／タンパク質／アミノ酸／ビタミン（例えば、ツルマメ、加水分解小麦デンプン、加水分解小麦タンパク質、システイン、小麦アミノ酸、カカオ豆抽出物、ビタミンＥ）、ジオール（例えば、プロピレングリコール）、ジオール類縁体、トリオール、トリオール類縁体、ポリマーポリオール）、乳白剤、処方助剤（例えば、乳化剤、増粘剤（例えば、多糖類（例えば、キサンタンガム、グアーガム、デンプン、及び植物性ガム）、セルロースポリマー（例えば、カルボキシメチルセルロース（ＣＭＣ）、ヒドロキシメチルセルロース（ＨＭＣ）、ヒドロキシプロピルメチルセルロース（ＨＰＭＣ）、疎水変性架橋アクリレートコポリマー（例えば、Ｌｕｂｒｉｚｏｌが商品名Ｃａｒｂｏｐｏｌ（登録商標）Ｕｌｔｒｅｚ  ２１で販売しているもの）、泡安定剤、粘度上昇剤、封鎖剤、懸濁剤、ｐＨ調整剤、緩衝液、中和剤）、毛髪ケア有効成分（例えば、フケ防止剤、日焼け止め（例えば、紫外線フィルタ／吸収剤（ベンゾフェノン−４、エチルヘキシルメトキシシンナメートなど）、浸透液、毛髪固定剤、縮れ防止剤、帯電防止剤（例えば、パンテニルエチルエーテル）、毛髪ウェーブ剤／カール矯正剤、髪染め）、潤滑剤（例えば、パンテノール）、キレート剤／封鎖剤（例えば、ＥＤＴＡ二ナトリウム、エチレンジアミン二コハク酸三ナトリウム）、香料（例えば、リモネン、リナロール、シトラネロール）、ビタミン（ビタミンＥ）、造膜剤、媒質（例えば、噴射剤）、並びに固形分（例えば、雲母、二酸化チタン、���化鉄）、のうちの少なくとも１種を含む。当業者であれば、いくつかの添加剤は毛髪ケア添加剤の２つ以上の一般的な範疇内に入る場合があることを、認識する。より好ましくは、本発明の毛髪ケア処方物の製造方法において、用意された少なくとも１種の毛髪ケア添加剤は、界面活性剤、コンディショニング剤／柔軟剤、抗菌剤／防腐剤、酸化防止剤、保湿剤、乳白剤、乳化剤、増粘剤、泡安定剤、粘度上昇剤、封鎖剤、懸濁剤、ｐＨ制御剤、フケ防止剤、日焼け止め、及び香料のうちの少なくとも１種を含む。
【誤訳訂正４】
【訂正対象書類名】明細書
【訂正対象項目名】００６７
【訂正方法】変更
【訂正の内容】
【００６７】
実施例１〜２：毛髪ケア系濃縮物の調製
実施例１〜２の各々において、表１に記載した組成を有する、毛髪ケア系濃縮物を、加熱マントル及び撹拌棒を備えたフラスコ内で調製した。ＰＰＧ−９（Ｐｏｌｙｇｌｙｃｏｌ  Ｐ４２５、Ｄｏｗ  Ｃｈｅｍｉｃａｌ  Ｃｏｍｐａｎｙから入手可能な「Ｐ」シリーズのポリグリコール）をフラスコに添加し、７０〜７５℃の温度まで加熱した。次いで、ＰＥＧ１５０ジステアレート（Ａｃｕｌｙｎ（登録商標）６０ポリマー、Ｄｏｗ  Ｃｈｅｍｉｃａｌ  Ｃｏｍｐａｎｙから入手可能）を、撹拌しつつ約１０分間かけてフラスコに添加し、その際、温度設定点を７０〜７５℃の温度に維持し、均質な混合物を得た。次いで、加熱マントルをフラスコから取り外し、ＰＰＧ−１４ブチルエーテル（Ｕｃｏｎ（登録商標）流体ＡＰ、Ｄｏｗ  Ｃｈｅｍｉｃａｌ  Ｃｏｍｐａｎｙから入手可能）を、撹拌を継続しつつ約１０分間かけてゆっくりフラスコ内容物に導入した。次いで、フラスコ内容物を、４５℃まで冷却し続けた。次いで、ポリクオタニウム−６７（Ｓｏｆｔｃａｔ（登録商標）ＳＸ  Ｐｏｌｙｍｅｒ  ＳＸ−１３００Ｘ（Ｄｏｗ  Ｃｈｅｍｉｃａｌ  Ｃｏｍｐａｎｙから入手可能））及びＰＥＧ−４５Ｍ（Ｐｏｌｙｏｘ（登録商標）ＷＳＲ  Ｎ６０Ｋ（Ｄｏｗ  Ｃｈｅｍｉｃａｌ  Ｃｏｍｐａｎｙから入手可能））の前混合物を、撹拌を継続しつつゆっくりフラスコ内容物に添加した。次いで、フラスコの内容物の撹拌を４０〜５０分間継続すると、毛髪ケア系濃縮物の製品が得られる。